【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
第１のインク滴を吐出可能なノズルが所定方向に配列された第１のノズル列と前記第１のインク滴と同色で前記１のインク滴よりも量の多い第２のインク滴を吐出可能なノズルが前記所定方向に配列された第２のノズル列とを少なくとも備えた記録ヘッドを前記所定方向と交差する方向に移動させつつ、記録データに基づいて前記第１および第２のノズル列から前記第１および第２のインク滴を吐出することによって、被記録媒体に画像を記録するインクジェット記録方法であって、
第１の移動速度で前記記録ヘッドを移動させて前記被記録媒体に画像を記録する第１の記録モードと、前記第１の移動速度よりも速い第２の移動速度で前記記録ヘッドを移動させて前記被記録媒体に画像を記録する第２の記録モードと、を含む複数の記録モードの中から１つの記録モードを指定する指定工程と、
前記指定工程において指定された記録モードに応じて、入力画像データを前記第１および第２のノズル列それぞれに対応する前記記録データに変換する変換工程とを含み、
前記変換工程は、前記第１の記録モードよりも前記第２の記録モードの方が前記被記録媒体の単位領域あたりの前記第１のインク滴の最大吐出数が少なくなるように且つ前記第１および第２の記録モードのいずれにおいても前記第２のインク滴の吐出数が最大となる単位領域に対して前記第１のインク滴が吐出されないように、前記第１および第２のノズル列それぞれに対応する前記記録データに変換することを特徴とするインクジェット記録方法。
【請求項２】
前記変換工程は、前記第１の記録モードよりも前記第２記録モードの方が前記単位領域あたりの前記第２のインク滴の最大吐出数が少なくなるように且つ前記単位領域あたりの前記第１のインク滴と前記第２のインク滴の最大混在吐出数が少なくなるように、前記第１および第２のノズル列それぞれに対応する前記記録データに変換することを特徴とする請求項１に記載のインクジェット記録方法。
【請求項３】
前記第１の記録モードは、前記第２の記録モードに比べて、前記第１のインク滴が使用される濃度範囲が広いことを特徴とする請求項１に記載のインクジェット記録方法。
【請求項４】
前記変換工程は、前記第１の記録モードが指定された場合、第１の濃度範囲において前記第１のインク滴の吐出数を徐々に最大まで増加させ、前記第１の濃度範囲よりも高濃度である第２の濃度範囲において前記第１のインク滴の吐出数を最大に保ちつつ前記第２のインク滴の吐出数を徐々に増加させ、前記第２の濃度範囲よりも高濃度である第３の濃度範囲において前記第１のインク滴の吐出数を徐々に減少させつつ前記第２のインク滴の吐出数を徐々に増加させるテーブルを利用して、前記第１および第２のノズル列それぞれに対応する前記記録データに変換することを特徴とする請求項１に記載のインクジェット記録方法。
【請求項５】
第１のインク滴を吐出可能なノズルが所定方向に配列された第１のノズル列と前記第１のインク滴と同色で前記１のインク滴よりも量の多い第２のインク滴を吐出可能なノズルが前記所定方向に配列された第２のノズル列とを少なくとも備えた記録ヘッドを前記所定方向と交差する方向に移動させつつ、記録データに基づいて前記第１および第２のノズル列から前記第１および第２のインク滴を吐出することによって、被記録媒体に画像を記録するインクジェット記録装置であって、
第１の移動速度で前記記録ヘッドを移動させて前記被記録媒体に画像を記録する第１の記録モードと、前記第１の移動速度よりも速い第２の移動速度で前記記録ヘッドを移動させて前記被記録媒体に画像を記録する第２の記録モードと、を含む複数の記録モードの中から１つの記録モードを指定する指定手段と、
前記指定手段において指定された記録モードに応じて、入力画像データを前記第１および第２のノズル列それぞれに対応する前記記録データに変換する変換手段とを含み、
前記変換手段は、前記第１の記録モードよりも前記第２の記録モードの方が前記被記録媒体の単位領域あたりの前記第１のインク滴の最大吐出数が少なくなるように且つ前記第１および第２の記録モードのいずれにおいても前記第２のインク滴の吐出数が最大となる単位領域に対して前記第１のインク滴が吐出されないように、前記第１および第２のノズル列それぞれに対応する前記記録データに変換することを特徴とするインクジェット記録装置。
【請求項６】
第１のインク滴を吐出可能なノズルが所定方向に配列された第１のノズル列と前記第１のインク滴と同色で前記１のインク滴よりも量の多い第２のインク滴を吐出可能なノズルが前記所定方向に配列された第２のノズル列とを少なくとも備えた記録ヘッドを前記所定方向と交差する方向に移動させつつ、前記第１および第２のノズル列から前記第１および第２のインク滴を吐出して被記録媒体に画像を記録するための記録データを生成する処理をコンピュ−タに実行させるためのプログラムであって、
前記処理は、
第１の移動速度で前記記録ヘッドを移動させて前記被記録媒体に画像を記録する第１の記録モードと、前記第１の移動速度よりも速い第２の移動速度で前記記録ヘッドを移動させて前記被記録媒体に画像を記録する第２の記録モードと、を含む複数の記録モードの中から１つの記録モードを指定する指定工程と、
前記指定手段において指定された記録モードに応じて、入力画像データを前記第１および第２のノズル列それぞれに対応する前記記録データに変換する変換工程とを含み、
前記変換工程は、前記第１の記録モードよりも前記第２の記録モードの方が前記被記録媒体の単位領域あたりの前記第１のインク滴の最大吐出数が少なくなるように且つ前記第１および第２の記録モードのいずれにおいても前記第２のインク滴の吐出数が最大となる単位領域に対して前記第１のインク滴が吐出されないように、前記第１および第２のノズル列それぞれに対応する前記記録データに変換することを特徴とするプログラム。
【手続補正２】
【補正対象書類名】明細書
【補正対象項目名】発明の名称
【補正方法】変更
【補正の内容】
【発明の名称】インクジェット記録方法、インクジェット記録装置、およびプログラム
【手続補正３】
【補正対象書類名】明細書
【補正対象項目名】０００１
【補正方法】変更
【補正の内容】
【０００１】
本発明は、複数のノズル列が形成された記録ヘッドを用い、その記録ヘッドを移動させつつ、それらのノズル列のノズルからインク滴を吐出することによって、種々の被記録媒体に画像を記録するためのインクジェット記録方法、インクジェット記録装置、およびプログラムに関するものである。
【手続補正４】
【補正対象書類名】明細書
【補正対象項目名】００１９
【補正方法】変更
【補正の内容】
【００１９】
本発明の目的は、インクの吐出に伴う気流影響が生じないように記録データを生成することにより、記録ヘッドの移動速度の如何に拘わらず、高品位の画像を記録することができるインクジェット記録方法、インクジェット記録装置、およびプログラムを提供することにある。
【手続補正５】
【補正対象書類名】明細書
【補正対象項目名】００２０
【補正方法】変更
【補正の内容】
【００２０】
本発明のインクジェット記録方法は、第１のインク滴を吐出可能なノズルが所定方向に配列された第１のノズル列と前記第１のインク滴と同色で前記１のインク滴よりも量の多い第２のインク滴を吐出可能なノズルが前記所定方向に配列された第２のノズル列とを少なくとも備えた記録ヘッドを前記所定方向と交差する方向に移動させつつ、記録データに基づいて前記第１および第２のノズル列から前記第１および第２のインク滴を吐出することによって、被記録媒体に画像を記録するインクジェット記録方法であって、第１の移動速度で前記記録ヘッドを移動させて前記被記録媒体に画像を記録する第１の記録モードと、前記第１の移動速度よりも速い第２の移動速度で前記記録ヘッドを移動させて前記被記録媒体に画像を記録する第２の記録モードと、を含む複数の記録モードの中から１つの記録モードを指定する指定工程と、前記指定工程において指定された記録モードに応じて、入力画像データを前記第１および第２のノズル列それぞれに対応する前記記録データに変換する変換工程とを含み、前記変換工程は、前記第１の記録モードよりも前記第２の記録モードの方が前記被記録媒体の単位領域あたりの前記第１のインク滴の最大吐出数が少なくなるように且つ前記第１および第２の記録モードのいずれにおいても前記第２のインク滴の吐出数が最大となる単位領域に対して前記第１のインク滴が吐出されないように、前記第１および第２のノズル列それぞれに対応する前記記録データに変換することを特徴とする。
【手続補正６】
【補正対象書類名】明細書
【補正対象項目名】００２１
【補正方法】変更
【補正の内容】
【００２１】
本発明のインクジェット記録装置は、第１のインク滴を吐出可能なノズルが所定方向に配列された第１のノズル列と前記第１のインク滴と同色で前記１のインク滴よりも量の多い第２のインク滴を吐出可能なノズルが前記所定方向に配列された第２のノズル列とを少なくとも備えた記録ヘッドを前記所定方向と交差する方向に移動させつつ、記録データに基づいて前記第１および第２のノズル列から前記第１および第２のインク滴を吐出することによって、被記録媒体に画像を記録するインクジェット記録装置であって、第１の移動速度で前記記録ヘッドを移動させて前記被記録媒体に画像を記録する第１の記録モードと、前記第１の移動速度よりも速い第２の移動速度で前記記録ヘッドを移動させて前記被記録媒体に画像を記録する第２の記録モードと、を含む複数の記録モードの中から１つの記録モードを指定する指定手段と、前記指定手段において指定された記録モードに応じて、入力画像データを前記第１および第２のノズル列それぞれに対応する前記記録データに変換する変換手段とを含み、前記変換手段は、前記第１の記録モードよりも前記第２の記録モードの方が前記被記録媒体の単位領域あたりの前記第１のインク滴の最大吐出数が少なくなるように且つ前記第１および第２の記録モードのいずれにおいても前記第２のインク滴の吐出数が最大となる単位領域に対して前記第１のインク滴が吐出されないように、前記第１および第２のノズル列それぞれに対応する前記記録データに変換することを特徴とする。
【手続補正７】
【補正対象書類名】明細書
【補正対象項目名】００２２
【補正方法】変更
【補正の内容】
【００２２】
本発明のプログラムは、第１のインク滴を吐出可能なノズルが所定方向に配列された第１のノズル列と前記第１のインク滴と同色で前記１のインク滴よりも量の多い第２のインク滴を吐出可能なノズルが前記所定方向に配列された第２のノズル列とを少なくとも備えた記録ヘッドを前記所定方向と交差する方向に移動させつつ、前記第１および第２のノズル列から前記第１および第２のインク滴を吐出して被記録媒体に画像を記録するための記録データを生成する処理をコンピュ−タに実行させるためのプログラムであって、前記処理は、第１の移動速度で前記記録ヘッドを移動させて前記被記録媒体に画像を記録する第１の記録モードと、前記第１の移動速度よりも速い第２の移動速度で前記記録ヘッドを移動させて前記被記録媒体に画像を記録する第２の記録モードと、を含む複数の記録モードの中から１つの記録モードを指定する指定工程と、前記指定手段において指定された記録モードに応じて、入力画像データを前記第１および第２のノズル列それぞれに対応する前記記録データに変換する変換工程とを含み、前記変換工程は、前記第１の記録モードよりも前記第２の記録モードの方が前記被記録媒体の単位領域あたりの前記第１のインク滴の最大吐出数が少なくなるように且つ前記第１および第２の記録モードのいずれにおいても前記第２のインク滴の吐出数が最大となる単位領域に対して前記第１のインク滴が吐出されないように、前記第１および第２のノズル列それぞれに対応する前記記録データに変換することを特徴とする。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】